(57)【要約】【課題】  アナログ変換により一連化したアナログデータをディジタルデータとして記録する場合であってもその記録内容を容易に把握させることができるようにする。【解決手段】  記録媒体に記録されるディジタルデータを管理する管理データをディジタルデータとして取得し、その管理データに基づき少なくとも第１のトラックの再生時間を算出し、その計数を開始すると共にアナログデータをディジタルデータに変換して一時記録し、当該計数される値が第１のトラックの再生時間に達したら、管理データの少なくとも一部を、一時記録されたディジタルデータと関連づけ、第１のトラックとして主記憶部に記録するようにした。【選択図】        図１
2007080370.tif 000002
【特許請求の範囲】
【請求項１】
記録媒体に記録されるディジタルデータを管理する管理データをディジタルデータとして取得する管理データ取得ステップと、
前記管理データに基づき少なくとも第１のトラックの再生時間を算出する再生時間算出ステップと、
前記ディジタルデータより変換されたアナログデータの入力を開始すると共にディジタルデータに変換し、一時記録部に一時記録すると共に、計数を開始する記録開始ステップと、
前記計数される値が前記第１のトラックの再生時間に達したら、前記管理データの少なくとも一部を、前記一時記録部に一時記録されたディジタルデータと関連づけ、前記第１のトラックとして主記録部に記録する記録完了ステップと
を具えることを特徴とする記録方法。
【請求項２】
前記記録開始ステップにおいて、前記ディジタルデータより変換されたアナログデータの入力を開始すると共に圧縮ディジタルデータに変換する
ことを特徴とする請求項１に記載の記録方法。
【請求項３】
前記管理データが全角と半角のテキストデータを有するとき、いずれのテキストデータを優先するかを設定する設定ステップを有し、
前記記録完了ステップにおいて、前記管理データが全角と半角のテキストデータを有するとき、上記設定ステップにおいて優先されるテキストデータを抽出し、前記一時記録部に一時記録されたディジタルデータと関連づける
ことを特徴とする請求項１に記載の記録方法。
【請求項４】
前記記録開始ステップと記録完了ステップを複数トラックに相当する分繰り返すことにより、複数のトラックが前記主記録部に記録され、
前記記録完了ステップにおいて、前記管理データが有するグループ名と前記複数のトラックを関連づけて前記主記録部に記録する
ことを特徴とする請求項１に記載の記録方法。
【請求項５】
前記管理データ取得ステップにおいて取得された管理データに基づき少なくとも第１のトラックに対応するタイトル名を出力する出力ステップ
を具えることを特徴とする請求項１に記載の記録方法。
【請求項６】
前記管理データが全角と半角のテキストデータを有するとき、いずれのテキストデータを優先するかを設定する設定ステップを有し、
前記出力ステップにおいて、前記管理データが全角と半角のテキストデータを有するとき、前記設定ステップにおいて優先されるタイトル名を出力する
ことを特徴とする請求項５に記載の記録方法。
【請求項７】
前記出力ステップにおいて、前記管理データに基づき複数のトラックに対応する複数のタイトル名が出力され、前記記録開始ステップの後、前記記録完了ステップの前に相当する一時記録中の前記ディジタルデータに対応するタイトル名がフォーカスされている
ことを特徴とする請求項５に記載の記録方法。
【請求項８】
記録媒体に記録されるディジタルデータを管理する管理データをディジタルデータとして取得する管理データ取得部と、
前記管理データに基づき少なくとも第１のトラックの再生時間を算出する再生時間算出部と、
前記ディジタルデータより変換されたアナログデータの入力を開始すると共にディジタルデータに変換するデータ変換部と、
前記変換されたディジタルデータを一時記録部に一時記録すると共に計数を開始し、当該計数される値が前記第１のトラックの再生時間に達したら、前記管理データの少なくとも一部を、前記一時記録部に一時記録されたディジタルデータと関連づけ、前記第１のトラックとして主記録部に記録する記録部と
を具えることを特徴とする記録装置。
【請求項９】
コンピュータに対して、
記録媒体に記録されるディジタルデータを管理する管理データをディジタルデータとして取得する管理データ取得ステップと、
前記管理データに基づき少なくとも第１のトラックの再生時間を算出する再生時間算出ステップと、
前記ディジタルデータより変換されたアナログデータの入力を開始すると共にディジタルデータに変換し、一時記録部に一時記録すると共に、計数を開始する記録開始ステップと、
前記計数される値が前記第１のトラックの再生時間に達したら、前記管理データの少なくとも一部を、前記一時記録部に一時記録されたディジタルデータと関連づけ、前記第１のトラックとして主記録部に記録する記録完了ステップと
を実行させることを特徴とするプログラム。
【発明の詳細な説明】
【技術分野】
【０００１】
本発明は記録方法、記録装置及びプログラムに関し、記録媒体に記録されたオーディオデータをアナログ録音する場合に適用して好適なものである。
【背景技術】
【０００２】
従来、ＭＤ（Mini Disc(登録商標)）に記録されたオーディオデータを記録する場合、一般にディジタル録音はできないが、アナログ録音は許可される。
【０００３】
この点、ディジタル録音が許可されているオーディオデータについてはそのままの状態で記録し、当該許可されていないオーディオデータについてはアナログ再生し、当該再生されたオーディオ信号を再度ディジタルデータに変換して記録するといった記録装置が提案されている（例えば特許文献１参照）。
【特許文献１】特開平４−２７４０５５号公報
【発明の開示】
【発明が解決しようとする課題】
【０００４】
ところでかかる構成の記録装置では、オーディオデータを管理するための例えばタイトル等の情報がオーディオデータに対応付けられていた場合、当該管理情報が記録されないため、ユーザは、ディジタル録音が許可されていない複数のオーディオデータを録音できたとしてもその記録内容の把握が困難となるという問題があった。
【０００５】
本発明は以上の点を考慮してなされたもので、アナログ変換により一連化したアナログデータをディジタルデータとして記録する場合であってもその記録内容を容易に把握させ得る記録方法、記録装置及びプログラムを提案しようとするものである。
【課題を解決するための手段】
【０００６】
かかる課題を解決するため本発明は、記録方法であって、記録媒体に記録されるディジタルデータを管理する管理データをディジタルデータとして取得する管理データ取得ステップと、管理データに基づき少なくとも第１のトラックの再生時間を算出する再生時間算出ステップと、ディジタルデータより変換されたアナログデータの入力を開始すると共にディジタルデータに変換し、一時記憶部に一時記録すると共に、計数を開始する記録開始ステップと、計数される値が第１のトラックの再生時間に達したら、管理データの少なくとも一部を、一時記録されたディジタルデータと関連づけ、第１のトラックとして主記憶部に記録する記録完了ステップとを設けるようにした。
【０００７】
従ってこの記録方法では、アナログ変換により一連化したアナログデータが、トラックとして対応する管理データと関連づけて記録されるため、当該管理データに基づいて記録内容を管理させることができる。
【０００８】
また本発明は、記録装置であって、記録媒体に記録されるディジタルデータを管理する管理データをディジタルデータとして取得する管理データ取得部と、管理データに基づき少なくとも第１のトラックの再生時間を算出する再生時間算出部と、ディジタルデータより変換されたアナログデータの入力を開始すると共にディジタルデータに変換するデータ変換部と、変換されたディジタルデータを一時記録部に一時記録すると共に計数を開始し、当該計数される値が第１のトラックの再生時間に達したら、管理データの少なくとも一部を、一時記録されたディジタルデータと関連づけ、第１のトラックとして主記録部に記録する記録部とを設けるようにした。
【０００９】
従ってこの記録装置では、アナログ変換により一連化したアナログデータが、トラックとして対応する管理データと関連づけて記録されるため、当該管理データに基づいて記録内容を管理させることができる。
【００１０】
さらに本発明は、プログラムであって、コンピュータに対して、記録媒体に記録されるディジタルデータを管理する管理データをディジタルデータとして取得する管理データ取得ステップと、管理データに基づき少なくとも第１のトラックの再生時間を算出する再生時間算出ステップと、ディジタルデータより変換されたアナログデータの入力を開始すると共にディジタルデータに変換し、一時記録部に一時記録すると共に、計数を開始する記録開始ステップと、計数される値が第１のトラックの再生時間に達したら、管理データの少なくとも一部を、一時記録されたディジタルデータと関連づけ、第１のトラックとして主記録部に記録する記録完了ステップとを実行させるようにした。
【００１１】
従ってこのプログラムでは、アナログ変換により一連化したアナログデータが、トラックとして対応する管理データと関連づけて記録されるため、当該管理データに基づいて記録内容を管理させることができる。
【発明の効果】
【００１２】
本発明によれば、記録媒体に記録されるディジタルデータを管理する管理データをディジタルデータとして取得し、その管理データに基づき少なくとも第１のトラックの再生時間を算出し、その計数を開始すると共にアナログデータをディジタルデータに変換して一時記録し、当該計数される値が第１のトラックの再生時間に達したら、管理データの少なくとも一部を、一時記録されたディジタルデータと関連づけ、第１のトラックとして主記憶部に記録するようにしたことにより、アナログ変換により一連化したアナログデータを、トラックとして対応する管理データと関連づけて記録できるため、当該管理データに基づいて記録内容を管理させることができ、かくしてアナログ変換により一連化したアナログデータをディジタルデータとして記録する場合であってもその記録内容を容易に把握させることができる。
【発明を実施するための最良の形態】
【００１３】
（１）本発明の概要
図１において、１００は本発明の概要による記録装置を示し、管理データ取得部１０１、再生時間算出部１０２、データに変換部１０３、記録部１０４、一時記録部１０５及び主記録部１０６を有する。
【００１４】
記録媒体ＲＭには、ディジタルデータと、そのディジタルデータを管理するための管理データとが記憶される。管理データ取得部１０１は、この記録媒体ＲＭにおける管理データＤ１０１を取得し、これを再生時間算出部１０２及び記録部１０４に送出する。
【００１５】
再生時間算出部１０２は、この管理データＤ１０１に基づいて、少なくとも第１のトラックに対応するディジタルデータの再生時間を算出し、この算出結果をデータＤ１０２として記録部１０４に送出する。
【００１６】
データに変換部１０３には、記録媒体ＲＭに記録されたディジタルデータがアナログ再生され、アナログデータＳ１０３として入力される。データに変換部１０３は、入力されるアナログデータをディジタルデータＤ１０３に変換し、これを記録部１０４に送出する。
【００１７】
記録部１０４は、ディジタルデータＤ１０３を一時記録部１０５に一時記録すると共に計数を開始し、当該計数される値が第１のトラックの再生時間に達したら、管理データＤ１０１の少なくとも一部を、一時記録部１０５に一時記録されたディジタルデータと関連づけ、第１のトラックＴＲとして主記録部１０６に記録する。
【００１８】
このようにこの記録装置１００では、アナログ変換により一連化したアナログデータＳ１０３を、トラックとして対応する管理データＤ１０１と関連づけて記録できるため、当該管理データＤ１０１に基づいて記録内容を管理させることができ、かくしてアナログ変換により一連化したアナログデータをディジタルデータとして記録する場合であってもその記録内容を容易に把握させることができる。
【００１９】
（２）本発明の実施の形態
以下、本発明の一実施の形態を詳述する。
【００２０】
（２−１）全体構成
図２において、１は全体として本実施の形態による記録システムを示し、ＭＤ（Mini Disc(登録商標)）プレーヤ２と、記録装置３とによって構成される。
【００２１】
このＭＤプレーヤ２及び記録装置３は、例えばＵＳＢ(Universal Serial Bus)やＬＡＮ(Local Aria Network)等のように、データ通信可能な有線又は無線のデータ通信路ＤＣを介して相互接続されていると共に、ＭＤプレーヤ２に設けられたオーディオ出力端子と、記憶装置３に設けられたオーディオ入力端子とが所定の信号ケーブルＳＫを介して接続されている。
【００２２】
ＭＤプレーヤ２は、記録装置３からデータ通信路ＤＣを介してアナログ再生コマンドＣＯＭ１を受けた場合、ＭＤの記憶領域に記録されたトラック単位のディジタルオーディオ信号（以下、これを単位オーディオデータと呼ぶ）を順次再生し、当該再生された単位オーディオデータを一連のアナログオーディオ信号（以下、これを単にオーディオ信号と呼ぶ）ＡＳとして、信号ケーブルＳＫを介して記録装置３に出力する。
【００２３】
またＭＤプレーヤ２は、記録装置３からデータ通信路ＤＣを介してＴＯＣ(Table Of Contents)再生コマンドＣＯＭ２を受けた場合、ＭＤのＴＯＣ領域に記録されたデータ（以下、これをＴＯＣデータと呼ぶ）ＴＤを再生し、これをデータ通信路ＤＣを介して記録装置３に出力する。
【００２４】
このＴＯＣデータＴＤは、ＭＤに記憶される各単位オーディオデータに関する情報を表すデータでなり、例えば図３に示すように、全角文字のタイトル名（以下、これを全角タイトル名と呼ぶ）と、半角文字のタイトル名（以下、これを半角タイトル名と呼ぶ）と、単位オーディオデータにおけるデータサイズとを、当該単位オーディオデータを識別するためのトラック番号に対応付けて表すようになされている。この全角タイトル名と半角タイトル名とのいずれか一方又は双方には、ユーザにより入力されるタイトル文字が対応するトラック領域に適宜書き込まれ、データサイズには、ＭＤプレーヤ２により記録時に必ず書き込まれる。
【００２５】
記録装置３は、図４に示すように、この記録装置３全体の制御を司る制御部１０を有し、この制御部１０に対して、操作部１１と、表示制御部１２と、ＴＯＣ処理部１３ａ、信号処理部１３ｂ及びＨＤＤ(Hard Disk Drive)等の記録媒体１３ｃからなる記録処理部１３とを接続することにより構成される。
【００２６】
ここで、図１における管理データ取得部１０１及び再生時間算出部１０２はＴＯＣ処理部１３ａに相当し、データに変換部１０３は信号処理部１３ｂに相当し、記録部１０４は制御部１０に相当するものである。また図１における一時記録部１０５は制御部１０に設けられたワークメモリに相当し、主記録部１０６は記録媒体１３ｃに相当するものである。
【００２７】
この制御部１０は、ＣＰＵ(Central Processing Unit)、各種プログラムが格納されたＲＯＭ(Read Only Memory)及びＣＰＵのワークメモリとしてのＲＡＭ(Random Access Memory)及びタイマーを含むマイクロコンピュータでなり、当該ＲＯＭに格納されたプログラムに基づいて、表示制御部１２及び記録処理部１３を適宜制御して記録処理を実行するようになされている。
【００２８】
具体的に制御部１０は、アナログ再生コマンドＣＯＭ１及びＴＯＣ再生コマンドＣＯＭ２を生成し、これらを所定のタイミングでＭＤプレーヤ２に出力する。
【００２９】
また制御部１０は、例えば「あるトラックに対するタイトル文字が全角及び半角の双方で書き込まれていた場合、どちらのタイトル文字を優先させて記録しますか」等といった内容の選択画面を表示制御部１２を介して表示部（図示せず）に表示することによって、優先的に記録させるべきタイトル文字の大きさ（以下、これを優先文字の大きさと呼ぶ）をユーザに選択させ、当該選択結果を記録処理部１３のＴＯＣ処理部１３ａに通知する。
【００３０】
このＴＯＣ処理部１３ａには、ＴＯＣ再生コマンドＣＯＭ２に対する応答としてＭＤプレーヤ２からデータ通信路ＤＣ（図２）を介してＴＯＣデータＴＤ（図３）が入力される。ＴＯＣ処理部１３ａは、このＴＯＣデータＴＤにおける全角タイトル名又は半角タイトル名に書き込まれているタイトル文字のうち、ユーザにより選択された優先文字の大きさに対応するタイトル文字を優先的に抽出し、当該抽出したタイトル文字をデータ（以下、これをタイトル文字データと呼ぶ）ＣＤとして、対応するトラック番号に対応付けて制御部１０に送出する。
【００３１】
従って、図３に示したＴＯＣデータＴＤにおける全角のタイトル文字を優先させた場合、図５に示すように、１番目のトラック番号については、全角タイトル名及び半角タイトル名のいずれにもタイトル文字が書き込まれているため、全角のタイトル文字が優先的に抽出されることとなる。なお、２番目のトラック番号については、全角タイトル名及び半角タイトル名のいずれにもタイトル文字が書き込まれていないため抽出されず、また３番目及び４番目のトラック番号については、全角タイトル名及び半角タイトル名のいずれか一方のみにタイトル文字が書き込まれているため、その書き込まれているタイトル文字が抽出される。
【００３２】
なお、ＴＯＣ処理部１３ａは、ＴＯＣデータＴＤに複数のトラックをグループとして表すタイトル文字（以下、これをグループタイトル文字と呼ぶ）が書き込まれている場合には、当該グループタイトル文字をデータとして抽出し、対応する各タイトル文字データと共に制御部１０に送出するようになされている。
【００３３】
またＴＯＣ処理部１３ａは、ＴＯＣデータＴＤ（図３）におけるデータサイズに基づいて、ＭＤに記録された各単位オーディオデータにおける再生時間をそれぞれ算出し、当該算出した再生時間をデータ（以下、これをトラック再生時間データと呼ぶ）ＲＴＤとして、対応するトラック番号に対応付けて制御部１０に送出する。
【００３４】
信号処理部１３ｂは、ＴＯＣ再生コマンドＣＯＭ２に対する応答としてＭＤプレーヤ２から供給されるオーディオ信号ＡＳに対してアナログディジタル変換処理を施し、得られたオーディオデータＡＤを制御部１０に送出する。
【００３５】
制御部１０は、ＴＯＣ処理部１３ａから供給されるタイトル文字データＣＤ及びトラック再生時間データＲＴＤを内部ＲＡＭに記憶する。また制御部１０は、信号処理部１３ｂから供給されるオーディオデータＡＤを内部ＲＡＭに一時的に記録していくと共に、当該一時記録した時点から内部タイマーをセットする（時間計数を開始する）。
【００３６】
そして制御部１０は、例えば図６に示すように、トラック再生時間データＲＴＤに基づいて、トラック番号に対応する再生時間の終了時点でオーディオデータＡＤを順次切り出すと共に、当該終了時点をトリガーとして内部タイマーをリセットする。また制御部１０は、切り出したオーディオデータ（以下、これを単位オーディオデータと呼ぶ）ＡＤ１〜ＡＤ４を、対応するトラック番号のタイトル文字データＣＤと関連付けて記録媒体１３ｃに記録する。
【００３７】
なお、制御部１０は、ＴＯＣ処理部１３ａからタイトル文字データＣＤと共にグループタイトル文字が供給された場合には、単位オーディオデータＡＤ１〜ＡＤ４を、グループタイトル文字及び対応するトラック番号のタイトル文字データＣＤと関連付けて記録するようになされている。
【００３８】
このようにしてこの記録装置３は、アナログ再生により一連化したオーディオ信号ＡＳを、ＭＤに記録された単位オーディオデータに相当する単位オーディオ信号ＡＤ１〜ＡＤ４として、対応するタイトル文字と関連付けて記録することができるようになされている。
【００３９】
（２−２）記録処理手順
次に、かかる制御部１０による記録処理の手順を、図７に示すフローチャートを用いて説明する。
【００４０】
すなわち制御部１０は、操作部１１からアナログ録音命令が与えられると、記録処理手順ＲＴ１をステップＳＰ０において開始し、続くステップＳＰ１において、ＴＯＣ再生コマンドＣＯＭ２（図４）をＭＤプレーヤ２に出力し、当該ＭＤプレーヤ２に対してＴＯＣデータＴＤ（図４）を再生させる。
【００４１】
そして制御部１０は、ステップＳＰ２において、所定の選択画面を表示部に表示することによりユーザに対して優先文字の大きさを選択させ、続くステップＳＰ３において、当該選択結果をＴＯＣ処理部１３ａ（図４）に通知すると共に、開始命令を送出する。この場合、ＴＯＣ処理部１３ａでは、トラック再生時間算出処理と、後述するタイトル文字記録処理とが実行される。
【００４２】
この後、制御部１０は、かかるＴＯＣ処理部１３ａでの処理結果としてそのＴＯＣ処理部１３ａから供給されるタイトル文字データＣＤ及びトラック再生時間データＲＴＤを取得すると、ステップＳＰ４において、これらを内部ＲＡＭに記憶し、次のステップＳＰ５において、アナログ再生コマンドＣＯＭ１（図４）をＭＤプレーヤ２に出力し、当該ＭＤプレーヤ２に対してアナログ再生させ、また信号処理部１３ｂ（図４）に開始命令を送出する。この信号処理部１３ｂでは、ＭＤプレーヤ２でのアナログ再生結果として出力されるオーディオ信号ＡＳ（図４）がディジタルデータＡＤに変換され、制御部１０に送出される。
【００４３】
次いで、制御部１０は、オーディオ信号記録処理をサブルーチンとして実行するようになされており、図８に示すように、当該オーディオデータ記録処理手順ＳＲＴをステップＳＰ１０において開始し、続くステップＳＰ１１において、信号処理部１３ｂから供給されるオーディオデータＡＤ（図４）を待ち受ける。
【００４４】
そして制御部１０は、信号処理部１３ｂからオーディオデータＡＤを受けると、続くステップＳＰ１２において、当該オーディオデータＡＤを内部ＲＡＭに一時的に記録していくと共に、当該一時記録した時点から内部タイマーをセットし、次のステップＳＰ１３において、ＴＯＣ処理部１３ａでのトラック再生時間算出処理結果として供給されるトラック再生時間データＲＴＤ（図４）を参照し、処理対象のトラック番号に対応する再生時間の終了時点となったか否かを判定する。
【００４５】
ここで否定結果が得られた場合、このことは内部ＲＡＭに一時記録しているオーディオデータＡＤが、１トラック分の単位オーディオデータに相当する終了位置に未だ達していないことを意味し、この場合、制御部１０は、処理対象のトラック番号に対応する再生時間の終了時点となるまで待ち受ける。
【００４６】
これに対して肯定結果が得られた場合、このことは内部ＲＡＭに一時記録しているオーディオデータＡＤが、１トラック分の単位オーディオデータに相当する終了位置となったことを意味し、この場合、制御部１０は、次のステップＳＰ１４において、オーディオデータＡＤを切り出し、続くステップＳＰ１５において、当該切り出した単位オーディオデータＡＤ１、ＡＤ２、ＡＤ３又はＡＤ４（図６）を、このときフォーカスしていた対応するトラック番号に関連付けて記録媒体１３ｃに記録する。
【００４７】
この後、制御部１０は、ステップＳＰ１６において、オーディオデータＡＤの入力が終了したか否かを判定し、当該終了していない場合には、ステップＳＰ１２に戻って内部タイマーをリセットした後に上述の処理を繰り返す一方、当該終了した場合には、次のステップＳＰ６（図７）に移って、この記録処理手順ＲＴ１を終了する。
このようにして制御部１０は、記録処理を実行することができるようになされている。
【００４８】
（２−３）タイトル文字記録処理
次に、ＴＯＣ処理部１３ａによるタイトル文字記録処理の手順を、図９に示すフローチャートを用いて説明する。
【００４９】
すなわちＴＯＣ処理部１３ａは、制御部１０から開始命令が与えられると、このタイトル文字記録処理手順ＲＴ２をステップＳＰ２０において開始し、続くステップＳＰ２１において、ＭＤプレーヤ２から供給されるＴＯＣデータＴＤ（図４）を待ち受け、当該ＴＯＣデータＴＤを受けると、次のステップＳＰ２２において、当該開始命令と同時に制御部１０から通知されるユーザの選択結果として、優先文字の大きさが全角であるか否かを判定する。
【００５０】
ここで肯定結果が得られた場合、ＴＯＣ処理部１３ａは、次のステップＳＰ２３において、ＴＯＣデータＴＤ（図３）のうち、処理対象のトラック番号に対応する全角タイトル名にタイトル文字が書き込まれているか否かを判定し、当該全角のタイトル文字が書き込まれている場合には、続くステップＳＰ２４において、その全角のタイトル文字を抽出し、対応するトラック番号に関連付けて記録媒体１３ｃに記録した後にステップＳＰ２７に移る。
【００５１】
これに対してＴＯＣ処理部１３ａは、全角のタイトル文字が書き込まれていない場合には、ステップＳＰ２５において、処理対象のトラック番号に対応する半角タイトル名にタイトル文字が書き込まれているか否かを判定し、当該半角のタイトル文字が書き込まれている場合には、続くステップＳＰ２６において、その半角のタイトル文字を抽出し、対応するトラック番号に関連付けて記録媒体１３ｃに記録した後にステップＳＰ２７に移る。一方、ＴＯＣ処理部１３ａは、半角のタイトル文字が書き込まれている場合には、タイトル文字を記録することなくステップＳＰ２７に移る。
【００５２】
そしてＴＯＣ処理部１３ａは、このステップＳＰ２７において、全てのトラック番号を処理対象としたか否かを判定し、当該全トラック番号を処理対象としていない場合には、ステップＳＰ２８において、トラック番号をインクリメントした後にステップＳＰ２３に戻って上述の処理を繰り返す。これに対してＴＯＣ処理部１３ａは、全トラック番号を処理対象とした場合には、ステップＳＰ４０に移る。
【００５３】
一方、ステップＳＰ２２において否定結果が得られた場合、ＴＯＣ処理部１３ａは、上述のステップＳＰ２３〜ステップＳＰ２８までの一連の処理と同様に、ステップＳＰ３３〜ステップＳＰ３８までの一連の処理を実行し、ステップＳＰ４０に移る。
【００５４】
ＴＯＣ処理部１３ａは、このステップＳＰ４０において、抽出した全てのタイトル文字をタイトル文字データＣＤ（図４）として制御部１０に対して送出し、続くステップＳＰ４１に移って、このタイトル文字記録処理手順ＲＴ２を終了する。
このようにしてＴＯＣ処理部１３ａは、タイトル文字記録処理を実行することができるようになされている。
【００５５】
（２−４）本実施の形態の動作及び効果
以上の構成において、この記録装置３は、ＭＤからＴＯＣデータＴＤを取得し、当該ＴＯＣデータＴＤにおけるデータサイズに基づいてトラック番号ごとに再生時間を算出する。
【００５６】
また記録装置３は、ＭＤプレーヤ２においてアナログ再生された結果得られるオーディオ信号ＡＳをオーディオデータＡＤに変換し、これを制御部内のＲＡＭに一時記録すると共に、タイマーをセットする。
【００５７】
そして記録装置３は、トラック番号ごとに算出しておいた再生時間にタイマーが達したとき、このとき制御部内のＲＡＭに一時記録しておいたディジタルデータＡＤを第１のトラックに対応する単位オーディオデータＡＤ１、ＡＤ２、ＡＤ３又はＡＤ４として、ＴＯＣデータＴＤに書き込まれている対応するタイトル文字にと関連づけて、記録媒体１３ｃに記録する。
【００５８】
従って、この記録装置３では、アナログ変換により一連化したアナログデータＳ１０３を、トラックとして対応する管理データＤ１０１と関連づけて記録できるため、当該管理データＤ１０１に基づいて記録内容を管理することができ、この結果、ユーザに対する記録内容の把握を容易化できる。
【００５９】
またこの記録装置３は、かかるタイトル文字として全角と半角のテキスト（タイトル文字）の双方がＴＯＣデータＴＤに書き込まれている場合には、いずれのテキストを優先するかをユーザに設定させ、当該設定された大きさのタイトル文字を関連づける。
【００６０】
従ってこの記録装置３では、記録媒体１３ｃに記録された単位オーディオデータＡＤ１〜ＡＤ４の再生対象を選択させために、対応するタイトル文字を所定の選択画面に表示する場合に、ユーザが意図しない表示形態で表示するといったことを未然に回避することができ、この結果、ユーザに対する記録内容の把握を一段と容易化できる。
【００６１】
さらにこの記録装置３は、複数のタイトル文字に対するグループタイトル文字がＴＯＣデータＴＤに書き込まれている場合には、これら双方のタイトル文字を記録対象に関連づける。
【００６２】
従ってこの記録装置３では、記録媒体１３ｃに記録された単位オーディオデータＡＤ１〜ＡＤ４の再生対象を選択させために、対応するタイトル文字を所定の選択画面に表示する場合に、記録内容の関係を示すことができ、この結果、ユーザに対する記録内容の把握を一段と容易化できる。
【００６３】
以上の構成によれば、アナログ変換により一連化したアナログデータＳ１０３を、トラックとして対応する管理データＤ１０１と関連づけて記録できるため、当該管理データＤ１０１に基づいて記録内容を管理させることができ、かくしてアナログ変換により一連化したアナログデータをディジタルデータとして記録する場合であってもその記録内容を容易に把握させることができる。
【００６４】
（３）他の実施の形態
上述の実施の形態においては、記録媒体に記録されるディジタルデータを管理する管理データとして全角タイトル名と、半角タイトル名と、データサイズとをトラック番号に対応付けてなるＴＯＣデータＴＤを適用するようにした場合について述べたが、本発明はこれに限らず、オーディオデータを単位ごとに管理する態様のデータであれば、この他種々のものを適用することができる。
【００６５】
また上述の実施の形態においては、Ａ／Ｄ(Analog/Digital)変換を施す信号処理部１３ｃを適用するようにした場合について述べたが、本発明はこれに限らず、当該信号処理部１３ｃに代えて、入力されるオーディオ信号ＡＳに対して、例えばＡＴＲＡＣ(Adaptive TRansform Acoustic Coding(登録商標))やＭＰ３(MPEG Audio Layer-3(登録商標))等の所定の音声圧縮方式に準拠した音声圧縮処理を施すと共に、当該音声圧縮処理されたオーディオデータＡＤに対して、例えば、暗号化音楽データを復号する復号鍵の元となるデータ（いわゆる復号鍵の種）、音楽コンテンツの再生可能回数や転送可能回数などを示すコンテンツ利用条件、及び実際に音楽コンテンツが再生された回数や転送された回数などを示すコンテンツ利用状態などのように、音楽コンテンツを利用する権利がある旨を示す権利情報を付加する信号処理部を適用するようにしても良い。
【００６６】
このようにすれば、この記録装置３で記録した単位オーディオデータＡＤを、記録者以外の第三者に対する制限を付した状態で記録できるため、当該記録したオーディオデータにおける記録装置３内での管理のみならず、その後の記録装置３外部への流通をも管理することができる。
【００６７】
さらに上述の実施の形態においては、タイトル文字記録処理をＴＯＣ処理部１３ａで実行するようにした場合について述べたが、本発明はこれに限らず、当該タイトル文字記録処理を実行させるためのプログラムを制御部１０のＲＯＭに設け、当該制御部１０がタイトル文字記録処理を実行するようにしても良い。
【００６８】
さらに上述の実施の形態においては、再生装置としてＭＤプレーヤ２を適用するようにした場合について述べたが、本発明はこれに限らず、例えばＣＤ（Compact Disc(登録商標)）プレーヤ、ＢＤ（Blue-ray Disc(登録商標)）プレーヤ又はＭＰ３(MPEG Audio Layer-3)プレーヤ等の再生装置を適用しても良く、あるいは、２以上の各種プレーヤを搭載した再生装置を適用するようにしても良い。
【００６９】
さらに上述の実施の形態においては、記録装置として図４に示した構成を適用するようにした場合について述べたが、本発明はこれに限らず、これ以外の構成により図１に示した本発明の概要の各部を実現するようにしても良い。
【産業上の利用可能性】
【００７０】
本発明は、アナログ録音する場合に利用可能である。
【図面の簡単な説明】
【００７１】
【図１】本発明の概要による記録装置を示すブロック図である。
【図２】本実施の形態による記録再生システムの構成を示すブロック図である。
【図３】ＴＯＣデータにおけるデータ内容例を示す略線図である。
【図４】記録装置の構成を示すブロック図である。
【図５】タイトル文字の記録の説明に供する略線図である。
【図６】オーディオ信号の切り出しの説明に供する略線図である。
【図７】記録処理手順を示すフローチャートである。
【図８】タイトル文字記録処理手順を示すフローチャートである。
【図９】オーディオデータ記録処理手順を示すフローチャートである。
【符号の説明】
【００７２】
１、１００……記録再生システム、２……ＭＤプレーヤ、３……再生装置、１０……制御部、１１……操作部、１２……表示制御部、１３……記録処理部、１３ａ……ＴＯＣ処理部、１３ｂ……信号処理部、１３ｃ、ＲＭ……記録媒体、１０１……管理データ取得部、１０２……再生時間算出部、１０３……データ変換部、１０４……記録部、１０５……一時記録部、１０６……主記録部、Ｄ１０１……管理データ、Ｄ１０２、ＲＴＤ……再生時間データ、Ｄ１０３……オーディオデータ、ＴＲ……トラック、Ｓ１０３、ＡＳ……オーディオ信号、ＡＳ１〜ＡＳ４……単位オーディオ信号、ＴＤ……ＴＯＣデータ、ＲＴ１……記録処理手順、ＲＴ２……タイトル文字記録処理手順、ＳＲＴ……オーディオデータ記録処理手順。
【図１】
2007080370.tif 000003
【図２】
2007080370.tif 000004
【図３】
2007080370.tif 000005
【図４】
2007080370.tif 000006
【図５】
2007080370.tif 000007
【図６】
2007080370.tif 000008
【図７】
2007080370.tif 000009
【図８】
2007080370.tif 000010
【図９】
2007080370.tif 000011